(57)【要約】      （修正有）【課題】限られた数のキーで複数種類の文字入力や編集操作を行うことのできる携帯端末を提供する。【解決手段】携帯電話機１００は、ダイヤルキー７１、サイドキーＩ（７２）、サイドキーＩＩ（７３）、入力済みの文字及びカーソルを表示するディスプレイ５０、ダイヤルキー７１が押下されたとき、画面上のカーソルの所在位置に文字が表示されているか空白が表示されているかを判定するカーソル位置判定部４２、ダイヤルキー７１が押下されたときサイドキーＩ（７２）、ＩＩ（７３）が押下されているか否かを判定し、それら押下状況とカーソル位置判定部４２による判定結果との組合せに応じて、文字モード切替え又は文章編集に関する複数の異なる処理を選択的に行う編集処理部４１とを備える。【選択図】図１
2010061682.tif 000002
【特許請求の範囲】
【請求項１】
ダイヤルキーと、
入力された文字及びカーソルを画面上に表示する表示手段と、
前記ダイヤルキーが押下されたときに前記画面上のカーソルの所在位置に文字が表示されているか否かを判定する判定手段と、
前記判定手段による判定結果に応じて、文字モード切替えを行う処理手段とを備えることを特徴とする携帯端末。
【請求項２】
前記ダイヤルキーには、数字と仮名がそれぞれ予め割り当てられており、
前記処理手段は、前記判定手段による判定の結果、前記カーソルの所在位置に文字が表示されている場合には、押下されたダイヤルキーに予め割り当てられている数字を入力する処理を行い、前記カーソルの所在位置に文字が表示されていない場合には、前記ダイヤルキーに予め割り当てられている仮名を入力する処理を行うことを特徴とする請求項１に記載の携帯端末。
【請求項３】
前記ダイヤルキーには、英字と仮名が予め割り当てられており、
前記処理手段は、前記判定手段による判定の結果、前記カーソルの所在位置に文字が表示されている場合には、押下されたダイヤルキーに予め割り当てられている英字を入力する処理を行い、前記カーソルの所在位置に文字が表示されていない場合には、前記ダイヤルキーに予め割り当てられている仮名を入力する処理を行うことを特徴とする請求項１に記載の携帯端末。
【発明の詳細な説明】
【技術分野】
【０００１】
本発明は、携帯端末の操作性を改良する技術に関する。
【背景技術】
【０００２】
携帯電話機やＰＤＡ（ｐｅｒｓｏｎａｌ  ｄｉｇｉｔａｌ  ａｓｓｉｓｔａｎｔ）等のいわゆる携帯端末は、携帯性が重視されることからコンパクトに設計されており、携帯端末の筐体に備えることが可能な入力操作用のキーの数は限られている。そして、この数少ないキーを用いて、複数種類の文字入力や編集操作を行うことができるように、携帯端末に備わる各キーに、複数の文字或いはユーザから受け付ける指示内容が割り当てられている。
【０００３】
例えば、メール本文を作成する場合、まず、入力しようとする文字が仮名か数字かによって、仮名モード又は数字モードといった文字モードを選択する。その後、文字が割り当てられているダイヤルキーを操作して仮名又は数字を入力するという操作がなされている。
【０００４】
しかし、例えば「１２月Ｘデー」のように、複数種類の文字が混在する文字列の入力は、数文字入力する度に文字モードの切り替え操作が必要となり、手間であった。
【０００５】
この手間を改善する従来技術として、例えば、下記の特許文献１に開示されている携帯電話機は、操作部にダイヤルキーと３つの補助キーを備え、補助キーの押下の組合せとダイヤルキーの押下によって仮名モード、数字モード、記号モード等の文字モードを切替えることを特徴としている。
【０００６】
また、補助キーを押している間だけ一時的に別のモードが有効になるというものもある。
【先行技術文献】
【特許文献】
【０００７】
【特許文献１】登録実用新案第３１０２３０６号
【発明の概要】
【発明が解決しようとする課題】
【０００８】
しかしながら、上記特許文献１に開示されている携帯電話機は、切替えるモードの数だけ複数の補助キーを備える必要があり、多数の文字モード及び文章編集機能を実現する携帯電話機には対応できない場合がある。
【０００９】
そこで本発明は、限られた数のキーを用いて簡便に文字モードの切替えや文章編集処理を行うことのできる新たな手法を取り入れた携帯端末を提供することを目的とする。
【課題を解決するための手段】
【００１０】
上記目的を達成するために、本発明に係る携帯端末は、ダイヤルキーと、入力された文字及びカーソルを画面上に表示する表示手段と、前記ダイヤルキーが押下されたときに前記画面上のカーソルの所在位置に文字が表示されているか否かを判定する判定手段と、前記判定手段による判定結果に応じて、文字モード切替え又は文章編集に関する複数の異なる処理を選択的に行う処理手段とを備えることを特徴とする。
【発明の効果】
【００１１】
この構成によれば、カーソルの所在位置が文字上にあるか否かによって、文字モード切替え又は文章編集に関する複数の異なる処理を選択的に行うことができるので、文章作成操作が簡便になる。
【００１２】
また、前記ダイヤルキーには、数字と仮名がそれぞれ予め割り当てられており、前記処理手段は、前記判定手段による判定の結果、前記カーソルの所在位置に文字が表示されている場合には、押下されたダイヤルキーに予め割り当てられている数字を入力する処理を行い、前記カーソルの所在位置に文字が表示されていない場合には、前記ダイヤルキーに予め割り当てられている仮名を入力する処理を行うとしてもよい。
【００１３】
この構成によれば、カーソルの所在位置によって、同じダイヤルキーで仮名又は数字の２種類の文字を入力することができる。
【００１４】
また、前記ダイヤルキーには、英字と仮名が予め割り当てられており、前記処理手段は、前記判定手段による判定の結果、前記カーソルの所在位置に文字が表示されている場合には、押下されたダイヤルキーに予め割り当てられている英字を入力する処理を行い、前記カーソルの所在位置に文字が表示されていない場合には、前記ダイヤルキーに予め割り当てられている仮名文字を入力する処理を行うとしてもよい。
【００１５】
この構成によれば、カーソルの所在位置によって、同じダイヤルキーで仮名又は英字の２種類の文字を入力することができる。
【００１６】
また、前記携帯端末は、さらに、補助キーを備え、前記判定手段は、さらに、ダイヤルキーが押下されたとき画面上のカーソルの所在位置に文字が表示されているか否かを判定する前記判定に加えて、同ダイヤルキーが押下されたとき前記補助キーが押下されているか否かを判定するさらなる判定を行い、前記処理手段は、前記２種の判定結果の組み合わせに応じて、文字モード切替え又は文章編集に関する複数の異なる処理を選択的に行うとしてもよい。
【００１７】
この構成によれば、カーソルの所在位置と補助キーとの組合せによって、同じダイヤルキーで複数の処理を選択的に行うことができる。
【００１８】
また、前記処理手段により選択的になされる各処理は、押下されたダイヤルキーに割り当てられている仮名を入力する処理、押下されたダイヤルキーに割り当てられている数字を入力する処理、押下されたダイヤルキーに割り当てられている英字を入力する処理、画面上に表示された文字のうちのいずれかをコピーの対象として選択する処理、及び画面上に表示された文字のうちのいずれかをカットの対象として選択する処理のうちのいずれかであるとしてもよい。
【図面の簡単な説明】
【００１９】
【図１】本発明の携帯電話機の構成を示すブロック図である。
【図２】（ａ）は折り畳み式の携帯電話機１００を開いた上体における正面図、（ｂ）は左側面図である。
【図３】編集処理部４１が行う処理を示すテーブルである。
【図４】携帯電話機１００の動作を示すフローチャートである。
【図５】図４の連結点Ａからの続き部分のフローチャートである。
【図６】ディスプレイ５０に表示されるメール作成画面を示す。
【図７】本文の入力操作例を示す。
【図８】コピー操作の一例を示す。
【図９】カット操作の一例を示す。
【図１０】数字を挿入する場合の例外操作の一例を示す。
【発明を実施するための形態】
【００２０】
以下、本発明の一実施形態について図面を用いて説明する。
【００２１】
＜構成＞
図１は、本発明の一実施形態である携帯電話機の構成を示すブロック図である。同図において携帯電話機１００は、無線部１０、マイク２０、スピーカ３０、ベースバンドプロセッサ４０、ディスプレイ５０、メモリ６０及び操作部７０を備える。
【００２２】
なお、無線部１０、マイク２０及びスピーカ３０等、一般的な携帯電話機が通常備える構成要素については説明を省略する。
【００２３】
ディスプレイ５０は、電話番号の入力やアドレス帳の作成、メールの作成等の場面において、操作部７０をユーザが操作して入力された文字やカーソル等を表示するためのディスプレイである。
【００２４】
操作部７０は、ユーザからコマンドや文字の入力を受け付ける機能を有し、複数のキーを有する。図２（ａ）、（ｂ）に操作部７０が有するキーの配置を示す。
図２（ａ）は、折り畳み式の携帯電話機１００を開いた状態の正面図であり、図２（ｂ）は、携帯電話機１００左側面図である。
【００２５】
図２（ａ）、（ｂ）に示すように、携帯電話機１００の下部筐体正面にダイヤルキー７１、方向キー７４及びソフトキー７５が配され、携帯電話機１００の下部筐体左側面にサイドキーＩ７２、サイドキーＩＩ７３が配されている。
【００２６】
ダイヤルキー７１は、０〜９までのテンキー、＊キー及び＃キーとからなる。これら各キーを区別する場合には、１キー、２キー、３キー、・・・＊キー、＃キーというように呼ぶこととする。
【００２７】
携帯電話機１００は、例えば、待ち受け時に、ダイヤルキー７１を押下されることで数字入力を受け付ける。また、メールやメモ、電話帳等の作成モード時に、ダイヤルキー７１が押下されることで各キーに予め割り当てられている仮名や記号の入力を受け付ける。
サイドキーＩ７２及びサイドキーＩＩ７３は、ダイヤルキー７１と共に同時押下することで、文字モードを変更して入力や編集操作を行うことができる。詳しくは後ほど図３を用いて説明する。
【００２８】
方向キー７４は、入力済みの文字と共に表示されるカーソルを、上下左右に移動させるためのキーである。カーソルは、文字上の位置、空白位置又は改行マークの位置それぞれに移動させることができる。
【００２９】
ソフトキー７５は、左キー、センターキー、右キーの３つのキーからなり、左キーはディスプレイ５０の左下に表示される項目の選択、右キーは右下に表示される項目の選択、センターキーは中央下に表示される項目の選択に用いられる。
【００３０】
ベースバンドプロセッサ４０は、通話やデータ通信のためのベースバンド処理を実行する以外に、編集処理部４１及びカーソル位置判定部４２を備える。編集処理部４１及びカーソル位置判定部４２は、ベースバンドプロセッサ４０が、編集処理記憶部６３に予め記憶されている所定のプログラムを実行することにより実現される。
【００３１】
編集処理部４１は、アドレス帳の作成やメールの作成等、文書や文字列の入力場面になると起動し、文字の入力及び編集に関する各種処理を行う。
【００３２】
具体的には、編集処理部４１は、操作部７０が受け付けた操作に基づいて、入力文字や空白、改行等をディスプレイに表示し、文字等を表すコードを、表示と同じ順序で文字列記憶部６１に記録する。
【００３３】
また編集処理部４１は、操作部７０が受け付けた入力操作に応じてディスプレイ５０に表示されるカーソルを移動させ、そのカーソルの所在位置をカーソル位置記憶部６２に記録する。
【００３４】
さらに編集処理部４１は、操作部７０が受け付けた入力操作とカーソル位置の情報との組合せに応じて、文字の入力又は編集を実行する。
【００３５】
ここでカーソル位置の情報とは、カーソル位置が文字上にあるか空白上にあるかを示すものであり、この情報は、カーソル位置判定部４２によるカーソル位置の判定から得られる。
【００３６】
カーソル位置判定部４２は、編集処理部４１からの要求があると、文字列記憶部６１の文字等の配列と、カーソル位置記憶部６２に記憶されたカーソルの所在位置とを比較して、カーソルの所在位置に文字があるか或いは空白であるかを判定し、判定結果を編集処理部４１に通知する。
【００３７】
なお、本実施形態において文字とは、仮名や漢字、句読点、英字、コンマ、ピリオド、各種表示記号のことであり、カーソル位置判定部４２は、これらの表示記号がカーソル位置にある場合に、カーソルの所在位置に文字があると判定し、反対に、空白及び改行マークがある場合には、空白であると判定する。
【００３８】
＜テーブル＞
次に、編集処理記憶部６３に記憶されている各種処理の内容について説明する。図３は、操作されたキーとカーソル位置に応じて編集処理部４１が行う処理を示すテーブルである。
同図において、左端１列目は、押下されるダイヤルキー７１の種類を示す。
【００３９】
２列目から６列目の各欄は、同じ行にある１列目のダイヤルキー７１と対応し、編集処理部４１が行う処理内容を示す。
【００４０】
２列目は、通常状態でダイヤルキー７１のいずれかが押下された場合に、編集処理部４１がディスプレイ５０に表示する文字を示す。ここで、通常状態とは、ダイヤルキー７１のいずれかが押下されたときに他にどのキーも押下されていない状態を意味する。
編集処理部４１は、他に何も押下されていない状態でダイヤルキー７１が一回押下されると、そのキーに対応する２列目の欄に記載された文字のうちの１つ目の文字を表示する。そして、再度そのキーが押下されると同欄の２つ目の文字を表示する。
【００４１】
なお、このとき、編集処理部４１は、一回目の押下で表示された１つ目の文字を消去して同じ位置に２つ目の文字を表示する。以後、同様にして、キーの押下の回数に応じて対応する欄の文字を順番に表示する。
【００４２】
例えば、１キーが押下された場合、編集処理部４１は、対応する欄の１つ目の文字である「あ」を表示する。再度１キーが押下されると、２つ目の文字である「い」を表示する。さらに１キーが押下されると、３つ目の文字である「う」を表示する。このようにして編集処理部４１は、１キーが押下される毎に「あ」→「い」→「う」→「え」→「お」→「ぁ」→「ぃ」→「ぅ」→「ぇ」→「ぉ」→「あ」→・・・と順番に表示する。
【００４３】
３列目は、カーソルが空白上にあり、かつ、サイドキーＩ７２が押下されている状態で、ダイヤルキー７１が押下された場合に、編集処理部４１がディスプレイ５０に表示する文字を示す。
【００４４】
例えば、カーソルが空白上にあるとき、サイドキーＩ７２が押下されながら１キーが押下されると、編集処理部４１は「１」を表示する。
【００４５】
４列目は、カーソルが空白上にあり、かつ、サイドキーＩＩ７３が押下されている状態で、ダイヤルキー７１が押下された場合に、編集処理部４１がディスプレイ５０に表示する文字示す。
【００４６】
編集処理部４１は、カーソルが空白上にあるとき、サイドキーＩＩ７３が押下されながらダイヤルキー７１が押下されると、そのダイヤルキー７１に対応する４列目の欄に記載された文字のうちの１つ目の文字を表示する。
【００４７】
サイドキーＩＩ７３が押下され続けたまま再度同じダイヤルキー７１が押下されると、１つ目の文字に代えて同欄の２つ目の文字を表示する。以後、同様にして、ダイヤルキー７１の押下の回数に応じて対応する欄の文字を順番に表示する。
【００４８】
例えば、カーソルが空白上にあるとき、サイドキーＩＩ７３が押下されながら２キーが押下されると、編集処理部４１は対応する欄の１つ目の文字である「ａ」を表示する。
【００４９】
続いて、サイドキーＩＩ７３が押下され続けたまま再度２キーが押下されると、編集処理部４１は２つ目の文字である「ｂ」を表示する。
【００５０】
このようにして編集処理部４１は、サイドキーＩＩ７３が押下され続けた状態で２キーが押下されると、２キーの押下回数に応じて「ａ」→「ｂ」→「ｃ」→「Ａ」→「Ｂ」→「Ｃ」→「ａ」→・・・と順番に表示する。
【００５１】
５列目は、カーソルが文字上にあり、かつ、サイドキーＩ７２が押下されている状態で、ダイヤルキー７１が押下された場合に、編集処理部４１が行う編集処理を示す。
【００５２】
より具体的には、カーソルが文字上にあるとき、サイドキーＩ７２が押下された状態で２キー、４キー、６キー又は８キーが押下されると、編集処理部４１は、最初のカーソル位置を始点として、コピーする文字列の範囲を拡張又は縮小する。このとき編集処理部４１は、拡張又は縮小されたコピー範囲の文字列を網かけ表示する。
【００５３】
具体的には、サイドキーＩ７２が押下された状態で２キーが押下された場合、編集処理部４１は、上方向に文字列のコピー範囲を拡張又は縮小する。
【００５４】
また、サイドキーＩ７２が押下された状態で４キーが押下された場合、編集処理部４１は、左方向に文字列のコピー範囲を拡張又は縮小する。
【００５５】
また、サイドキーＩ７２が押下された状態で６キーが押下された場合、編集処理部４１は、右方向に文字列のコピー範囲を拡張又は縮小する。
【００５６】
また、サイドキーＩ７２が押下された状態で８キーが押下された場合、編集処理部４１は、下方向に文字列のコピー範囲を拡張又は縮小する。
【００５７】
上記の操作でコピー範囲が拡張又は縮小された後、サイドキーＩ７２が押下されていた状態から離されると、編集処理部４１は、網かけ表示されたコピー範囲の文字列を文字列記憶部６１のコピー用の領域に記録する。そして、後に、貼り付けを指示する操作がなされた時に、コピー用の領域に記録された文字列を読み出して、カーソル位置に貼り付ける。
【００５８】
カーソルが文字上にあるとき、サイドキーＩＩ７３が押下された状態で１キーが押下された場合、それ以降、編集処理部４１は、サイドキーＩ７２と共に押下されるダイヤルキー７１に応じて図３の３列目に示される文字をカーソル位置に挿入する。
【００５９】
例えば、カーソルが文字上にあるときにサイドキーＩ７２が押下された状態で１キーが押下され、続いてサイドキーＩ７２が押下された状態で２キーが押下されると、編集処理部４１は、カーソル位置に「２」を挿入する。
【００６０】
５列目の各欄のうち、「−」が記載されている欄については、編集処理部４１は何も処理をしない。
【００６１】
６列目は、カーソルが文字上にあり、かつ、サイドキーＩＩ７３が押下されている状態で、ダイヤルキー７１が押下された場合に、編集処理部４１が行う編集処理を示す。
より具体的には、カーソルが文字上にあるとき、サイドキーＩＩ７３が押下された状態で２キー、４キー、６キー又は８キーが押下されると、編集処理部４１は、最初のカーソル位置を始点として、カットする文字列の範囲を拡張又は縮小する。このとき編集処理部４１は、拡張又は縮小されたカット範囲の文字列を網かけ表示する。
【００６２】
具体的には、サイドキーＩＩ７３が押下された状態で２キーが押下された場合、編集処理部４１は、上方向に文字列のカット範囲を拡張又は縮小する。
【００６３】
また、サイドキーＩＩ７３が押下された状態で４キーが押下された場合、編集処理部４１は、左方向に文字列のカット範囲を拡張又は縮小する。
【００６４】
また、サイドキーＩＩ７３が押下された状態で６キーが押下された場合、編集処理部４１は、右方向に文字列のカット範囲を拡張又は縮小する。
【００６５】
また、サイドキーＩＩ７３が押下された状態で８キーが押下された場合、編集処理部４１は、下方向に文字列のカット範囲を拡張又は縮小する。
【００６６】
上記の操作でカット範囲が拡張又は縮小された後に、サイドキーＩＩ７３が押下されていた状態から離されると、編集処理部４１は、網かけ表示されたカット範囲の文字列を文字列記憶部６１のカット用の領域に記録し、また、網かけ表示されたカット範囲の文字列を削除する。そして、後に、貼り付けを指示する操作がなされた時に、カット用の領域に記録された文字列を読み出して、カーソル位置に貼り付ける。
【００６７】
カーソルが文字上にあるとき、サイドキーＩＩ７３が押下された状態で１キーが押下された場合、それ以降、編集処理部４１は、サイドキーＩ７２と共に押下されるダイヤルキー７１に応じて図３の４列目に示される文字をカーソル位置に挿入する。
【００６８】
編集処理部４１は、押下されたダイヤルキー７１に応じて図３の４列目の文字を表示する。
【００６９】
例えば、カーソルが文字上にあるときにサイドキーＩＩ７３が押下された状態で１キーが押下され、続いてサイドキーＩＩ７３が押下された状態で２キーが押下されると、編集処理部４１は、カーソル位置に「２」を挿入する。
【００７０】
６列目の各欄のうち、「−」が記載されている欄については、編集処理部４１は何も処理をしない。
【００７１】
＜動作＞
次に携帯電話機１００の動作について説明する。
【００７２】
図４及び図５は、携帯電話機１００のメール本文作成時の動作を説明するために用いるフローチャート図である。
【００７３】
なお、これらの図に示すフローチャートは、図３の３列目から６列目の処理の流れを示しており、２列目の通常状態の処理の流れについては一般的に知られた処理であるので説明を省略している。
【００７４】
まず、サイドキーＩ７２が押下されると（ステップＳ４０１：ＹＥＳ）、その検出信号が編集処理部４１に送られる。続いて、編集処理部４１は、カーソル位置判定部４２にカーソル位置が文字上にあるか空白上にあるかを判定させる（ステップＳ４０３）。
【００７５】
判定の結果、カーソルが空白上にある場合、ステップＳ４０７に進み、カーソルが文字上にある場合、ステップＳ４１７に進む（ステップＳ４０５）。
【００７６】
ステップＳ４０７において、編集処理部４１は文字モードを通常の仮名モードから数字モードに切替える。そして、押下されたダイヤルキー７１に応じて図３の３列目にある数字等を表示する（ステップＳ４０９）。
【００７７】
以後、サイドキーＩ７２の押下が解除されない限り（ステップＳ４１１：ＮＯ）、ステップＳ４０９に戻る。サイドキーＩ７２の押下が解除されると（ステップＳ４１１：ＹＥＳ）、編集処理部４１は文字入力のモードを仮名モードに戻す（ステップＳ４１３）。
【００７８】
一方、ステップＳ４０５においてカーソル位置が文字上にあると判定され、２、４、６及び８キーのうちのいずれかが押下された場合（ステップＳ４１７：ＹＥＳ）、編集処理部４１は、押下されたキーに応じて図３の５列目にあるコピー範囲の拡張又は縮小の処理を行う（ステップＳ４１９）。
【００７９】
続いて、サイドキーＩ７２の押下が解除された場合（ステップＳ４２１：ＹＥＳ）、編集処理部４１は、網かけ表示されたコピー範囲の文字列を文字列記憶部６１のコピー用の領域に記録し（ステップＳ４２３）、後に、貼り付け指示を受け付けると、カーソル位置にコピーした文字を貼り付ける（ステップＳ４２５）。
【００８０】
ステップＳ４１７において、２、４、６及び８キーのうちのいずれのキーも押下されず（ステップＳ４１７：ＮＯ）、１キーが押下された場合（ステップＳ４２７：ＹＥＳ）、ステップＳ４０７の数字モードに切替える処理に移り、２、４、６、８及び１キー以外のダイヤルキー７１が押下された場合（ステップＳ４２７：ＮＯ）、処理を終了する。
【００８１】
なお、ステップＳ４２７において、２、４、６、８及び１キー以外のダイヤルキー７１が押下された場合、ステップＳ４１７に戻ることとしてもよい。
【００８２】
ステップＳ４０１において、サイドキーＩ７２が押下されずに（ステップＳ４０１：ＮＯ）、サイドキーＩＩ７３が押下された場合には（ステップＳ４１５：ＹＥＳ）、図５のステップＳ５０１の処理に進む。
【００８３】
ステップＳ５０１において編集処理部４１は、カーソル位置判定部４２にカーソル位置が文字上にあるか空白上にあるかを判定させる。判定の結果、カーソルが空白上にある場合、ステップＳ５０５に進み、文字上にある場合、ステップ５１３に進む（ステップＳ５０３）。
【００８４】
カーソルが空白上にあると判定されると、編集処理部４１は文字モードを英字モードに切替える（ステップＳ５０５）。
【００８５】
そして押下されたダイヤルキー７１に応じて図３の４列目にある英字等を表示する（ステップＳ５０７）。以後、サイドキーＩＩ７３の押下が解除されない限り（ステップＳ５０９：ＮＯ）、ステップＳ５０７に戻る。サイドキーＩＩ７３の押下が解除されると、編集処理部４１は文字モードを仮名モードに戻す（ステップＳ５１１）。
【００８６】
一方、ステップＳ５０３においてカーソル位置が文字上にあると判定され、２、４、６及び８キーのうちのいずれかが押下された場合（ステップＳ５１３：ＹＥＳ）、編集処理部４１は、押下されたキーに応じて図３の６列目にあるカット範囲の拡張又は縮小の処理を行う（ステップＳ５１５）。
【００８７】
続いて、サイドキーＩＩ７３の押下が解除された場合（ステップＳ５１７：ＹＥＳ）、編集処理部４１は、網かけ表示されたカット範囲の文字列を文字列記憶部６１のカット用の領域に記録し（ステップＳ５１９）、その後に、貼り付け指示を受け付けると、カーソル位置にカットした文字を貼り付ける（ステップＳ５２１）。
【００８８】
ステップＳ５１３において、２、４、６及び８キーのうちのいずれのキーも押下されず（ステップＳ５１３：ＮＯ）、１キーが押下された場合（ステップＳ５２３：ＹＥＳ）、ステップＳ５０５の英字モードに切替える処理に移り、２、４、６、８及び１キー以外のダイヤルキー７１が押下された場合（ステップＳ５２３：ＮＯ）、処理を終了する。
【００８９】
なお、ステップＳ４５２３において、２、４、６、８及び１キー以外のダイヤルキー７１が押下された場合、ステップＳ５１３に戻ることとしてもよい。
【００９０】
ここで、具体的な動作の一例として、メール本文作成の操作例を説明する。
【００９１】
図６は、ディスプレイ５０に表示されるメール作成画面を示す。
【００９２】
メール作成画面は、上半分に宛先のメールアドレスやメールの件名が表示され、下半分の本文入力画面にはメールの本文が表示されている。
【００９３】
図７は、本文入力の操作手順を説明するために用いるメール作成画面の推移を示す図である。
【００９４】
なお、画面７０１〜７０６はいずれもメール作成画面の下半分の本文入力画面のみを示している。
【００９５】
画面７０１は、まだ何も本文の入力がなく、左上隅にカーソルが表示されている。この状態でダイヤルキー７１の押下と漢字変換によって「明日は」と入力すると、左上に「明日は」が表示され、その右隣にカーソルが移動する（画面７０２）。
【００９６】
より具体的には、まず、１キーを１回、３キーを２回、４キーを１回、６キーを１回押して、「あしたは」と仮名入力し、続いて漢字変換操作により「あしたは」を「明日は」に変換する。
【００９７】
次に、画面７０２の状態でサイドキーＩ７２を押すと、カーソルが空白上にあるので入力モードが仮名モードから数字モードに切替わる。そして、サイドキーＩ７２を押したままで９キーを押すと、「明日は」の右隣に「９」が表示される（画面７０３）。
【００９８】
続いて、サイドキーＩ７２を離すと、入力モードが数字モードから仮名モードに戻り、仮名モードの状態でダイヤルキー７１の押下と漢字変換によって「時に映画館前で待ち合わせということで」と入力すると、入力された文字列が表示され、その文字列の右隣にカーソルが移動する（画面７０４）。
【００９９】
そして次に、サイドキーＩＩ７３を押下すると、カーソルが空白上にあるので入力モードが仮名モードから英字モードに切替わる。具体的には、サイドキーＩＩ７３を押したままで６キーを６回、５キーを５回押すと、「ＯＫ」が表示される（画面７０５）。
【０１００】
サイドキーＩＩ７３を離すと、入力モードは英字モードから仮名モードに戻り、仮名モードの状態でダイヤルキー７１の押下と漢字変化によって「ですか？」を入力すると、入力された文字列が表示される（画面７０６）。
【０１０１】
続いて、図８を用いてコピー操作の一例を示す。上述の操作で入力された本文「明日は９時に映画館前で待ち合わせということでＯＫですか？」が画面８０１に表示されている。
この状態で方向キー７４を上方向に押して、カーソルを「映」の上に移動させる（画面８０２）。
【０１０２】
次に、サイドキーＩ７２を押すと、その時カーソルは文字上にあるので、モードが入力モードからコピー範囲指定モードに切替わる。そしてサイドキーＩ７２を押したまま２キー、４キー、６キー及び８キーのいずれかを押すと、「映」を始点としてコピーの範囲を拡張又は縮小することができるようになる。ここでは、サイドキーＩ７２を押しながら６キーを１回押して、右方向にコピー範囲を拡張し、その結果、「映」とその右隣の「画」が網かけ表示される（画面８０３）。
【０１０３】
画面８０３の状態で、押下していたサイドキーＩ７２を離すと、網かけ表示されていたコピー範囲の文字列「映画」が文字列記憶部６１のコピー用の領域に記録される。またこのときコピー範囲指定モードから入力モードに戻る。そしてこのとき以降から画面右下には、ソフトキー７５の右キーで選択することのできる項目「ペースト」が表示される。（画面８０４）。
【０１０４】
続いて、方向キー７４を押してカーソルをペースト位置に移動させる。ここでは「？」の右隣に移動させている（画面８０５）。
【０１０５】
画面８０５の状態で、ソフトキー７５の右キーを押すことにより項目「ペースト」を選択すると、コピー用の領域から文字列「映画」が読み出されて、「？」の右隣にペーストされる（画面８０６）。
【０１０６】
続いて、図９を用いてカット操作の一例を示す。
まず、画面９０１には、本文「明日は９時に映画館前で待ち合わせということでＯＫですか？」が表示されている。
【０１０７】
この状態で方向キー７４を押して、カーソルを「９」の上に移動させる（画面９０２）。
次に、サイドキーＩＩ７３を押すと、その時カーソルは文字上にあるので、モードが入力モードからカット範囲指定モードに切替わる。そしてサイドキーＩＩ７３を押したまま２キー、４キー、６キー及び８キーのいずれかを押すと、「９」を始点としてカットの範囲を拡張又は縮小することができるようになる。
【０１０８】
ここでは、サイドキーＩＩ７３を押しながら６キーを２回押して、右方向にコピー範囲を拡張し、その結果、「９時に」が網かけ表示される（画面９０３）。
【０１０９】
画面９０３の状態で、押下していたサイドキーＩＩ７３を離すと、網かけ表示されていたカット範囲の文字列「９時に」は、文字列記憶部６１のカット用の領域に記録され、文字列「９時に」を本文入力画面から削除する。
【０１１０】
また、このとき、カット範囲指定モードから入力モードに戻り、画面右下には、ソフトキー７５の右キーで選択することのできる項目「ペースト」が表示される。（画面９０４）。
続いて、方向キー７４を押してカーソルをペースト位置に移動させる。ここではカーソルを「待」の上に移動させている（画面９０５）。
【０１１１】
画面９０５の状態で、ソフトキー７５の右キーを押すことにより項目「ペースト」を選択すると、カット用の領域から文字列「９時に」が読み出されて、「待」の位置にペーストされる（画面９０６）。
【０１１２】
図１０は、数字を挿入する場合の例外操作の一例を示す。
【０１１３】
まず、画面１０１のように入力済みの本文が表示されている状態で、方向キー７４を押して、カーソルを「に」の上に移動させる（画面１０２）。
【０１１４】
次に、サイドキーＩ７２を押しながら１キーを押す。この操作により、サイドキーＩ７２又はサイドキーＩＩ７３を押しながらダイヤルキー７１を押す操作が、コピー又はカット範囲指定モードではなく、数字又は英字モードとして受け付けられるようになる。
【０１１５】
続いてサイドキーＩ７２を押しながらダイヤルキー７１を押して「３０」を入力する。ここでサイドキーＩ７２を離すと、入力モードが数字モードから仮名モードに切替わり、ダイヤルキー７１の押下と漢字変換によって「分」を入力する（画面１０３）。
【０１１６】
以上のようにして携帯電話機１００は、サイドキーＩ７２が押下されたとき、カーソルの位置が空白上にあるか文字上にあるかに応じて、数字入力又はコピー範囲指定操作を選択的に行う。またサイドキーＩＩ７３が押下されたときは、カーソルの位置が空白上にあるか文字上にあるかに応じて、英字入力又はカット範囲指定操作を選択的に行う。
【０１１７】
この構成によれば、押下するキーの組合せだけでなく、カーソル位置がどこであるかによっても入力される文字種類や編集操作の種類を替えることができるので、キーの数が限られた携帯電話機で多様な入力又は編集操作を行う場合に有効である。
【０１１８】
なお、本実施形態においては、サイドキーＩ７２及びサイドキーＩＩ７３の押下状況とカーソル位置との組合せに応じて入力文字種類及び編集操作を切替える構成であるが、カーソル位置のみに応じて入力文字種類を切替える構成にしてもよい。
【０１１９】
例えば、カーソル位置が空白上にある場合には入力モードは仮名モードとなり、押下されるダイヤルキー７１に応じて仮名を表示し、カーソル位置が文字上にある場合には入力モードは数字モードとなり、押下されるダイヤルキー７１に応じて数字を表示する。
【０１２０】
この構成で例えば「明日は１０時に集合です。」というようなメール本文を入力する場合、まず仮名モードで「１０」を除く他の文字列「明日は時に集合です。」を入力する。次に、方向キー７４でカーソルを「時」の位置に移動させる。すると、カーソルが文字上にあるため、入力モードは仮名モードから数字モードに切替わる。そこで１キーと０キーを順に押すと、時の位置に「１０」が挿入され、メール本文が完成する。この構成であれば、従来のように入力モードを変更する操作や２つ以上のキーを組み合わせて同時に押す操作をしなくても、仮名及び数字の２種類の文字を入力することができる。仮名モードと数字モードとの切り替えに限らず、仮名モードと英字モード等、他の文字種のモードを切替えるよう構成してもよい。
【産業上の利用可能性】
【０１２１】
本発明は、携帯電話機、ＰＤＡ等、キー数の比較的少ない携帯端末に適用することができる。
【符号の説明】
【０１２２】
１０  無線部
２０  マイク
３０  スピーカ
４０  ベースバンドプロセッサ
４１  編集処理部
４２  カーソル位置判定部
５０  ディスプレイ
６０  メモリ
６１  文字列記憶部
６２  カーソル位置記憶部
６３  編集処理記憶部
７０  操作部
７１  ダイヤルキー
７２  サイドキーＩ
７３  サイドキーＩＩ
７４  方向キー
７５  ソフトキー
１００  携帯電話機
【図１】
2010061682.tif 000003
【図２】
2010061682.tif 000004
【図３】
2010061682.tif 000005
【図４】
2010061682.tif 000006
【図５】
2010061682.tif 000007
【図６】
2010061682.tif 000008
【図７】
2010061682.tif 000009
【図８】
2010061682.tif 000010
【図９】
2010061682.tif 000011
【図１０】
2010061682.tif 000012